(57)【要約】【課題】ベッドテーブル及びベッド柵のいずれにも安定的に吊り下げることが可能であり、かつ洗濯や持ち運び等の取り扱いが容易なベッドサイド用収容具を提供する。【解決手段】ベッドサイドに設置されるベッド用備品から吊り下げられるポケット部２と、ポケット部２をベッド用備品へ取り付けるための第１の取付部材３及び第２の取付部材４を備え、ポケット部２は、基体５と、物品を収容する収容部６ａ〜６ｅとからなり、基体５は、第１の取付部材３及び第２の取付部材４の少なくともいずれか一方を介してベッド用備品へ取り付けられ、ベッド用備品は、ベッドテーブル及びベッド柵であり、第１の取付部材３は、ベッドテーブルへ取り付けられ、第２の取付部材４は、第１の取付部材３に接続可能又はベッド柵に取り付け可能である。【選択図】図１
2018020028.tif 000002
【特許請求の範囲】
【請求項１】
ベッドサイドに設置されるベッド用備品から吊り下げられるポケット部と、
このポケット部を前記ベッド用備品へ取り付けるための第１の取付部材及び第２の取付部材を備え、
前記ポケット部は、基体と、この基体に形成され、物品を収容する収容部とからなり、
前記基体は、前記第１の取付部材及び前記第２の取付部材の少なくともいずれか一方を介して前記ベッド用備品へ取り付けられ、
前記ベッド用備品は、天板部を備えるベッドテーブル及びベッド柵であり、
前記第１の取付部材は、前記ベッドテーブルへ取り付けられ、
前記第２の取付部材は、前記第１の取付部材に接続可能又は前記ベッド柵に取り付け可能であることを特徴とするベッドサイド用収容具。
【請求項２】
前記第１の取付部材は、前記天板部を被覆するクロスであり、
このクロスは、前記天板部に固定される固定部と、この固定部と異なる位置に設けられる接続部とを備え、
前記第２の取付部材は、一面及び他面を有する平面状をなし、前記第２の取付部材の一端は前記一面に設けられる第１の係着手段を介して前記接続部に係着されるとともに前記他面に第２の係着手段が設けられ、前記第２の取付部材の他端は前記第２の係着手段へ分離可能に係着される第３の係着手段が設けられることを特徴とする請求項１に記載のベッドサイド用収容具。
【請求項３】
前記天板部は、これを平面視した場合に、四角形状の側縁の端面をなす第１乃至第４の端面からなり、
前記第１の端面と前記第２の端面は互いに平行であるとともに、前記第３の端面と前記第４の端面は互いに平行であり、
前記固定部は、前記第１の端面に掛止される湾曲部であり、
前記接続部は、前記第２の端面に沿って配置されることを特徴とする請求項２に記載のベッドサイド用収容具。
【請求項４】
前記クロスは、前記天板部を被覆する被覆部と、前記第３及び第４の端面にそれぞれ直交する方向へ延設されることで、前記天板部の下面において互いに連結可能な一対の連結片が形成され、
前記固定部は、前記湾曲部の代わりに、一対の前記連結片にそれぞれ設けられ、かつ互いに係合可能な係合部であることを特徴とする請求項３に記載のベッドサイド用収容具。
【請求項５】
前記ベッドテーブルが、前記天板部の縁部近傍の一箇所を支持する１本の支柱を備える場合に、
前記クロスは、前記支柱の周囲を締め付け可能な伸縮性の開口部を備える袋状に形成されることで、その内部へ前記開口部を介して前記天板部を収容可能であり、
前記固定部は、前記開口部の周辺に設けられ、前記支柱を挟持する挟持部材であることを特徴とする請求項２に記載のベッドサイド用収容具。
【請求項６】
前記第１の取付部材は、前記基体を前記天板部に固定する紐状体であることを特徴とする請求項１に記載のベッドサイド用収容具。
【発明の詳細な説明】
【技術分野】
【０００１】
本発明は、物品を収容するポケット部を備えてベッドサイドに設置される収容具に係り、特に、ポケット部がベッドの周囲に設置されるベッドテーブルの側面の他、ベッド柵にも吊り下げ可能なベッドサイド用収容具に関する。
【背景技術】
【０００２】
従来、病院や介護施設では、天板部がベッドを跨ぐようにして設置されるベッドテーブルや引き出しテーブルを備える床頭台が設置される場合が多い。これは、食事の膳や、体温計、メガネ、ティッシュボックスといった小物品を天板部等に置くことで、入院患者や被介護者が容易に食事をし、小物品を手に取ることができるようにしたものである。しかし、天板部等は一様な平面に形成されていることから、置かれた小物品が散乱したり、落下したりするという課題があった。
また、天板部等の面積は比較的小さいため、天板部等が小物品に占領されて、食事の際に不衛生となるおそれがある他、膳や血圧計といった機材を置くスペースが失われがちになるという課題もあった。
そこで、このような課題を解決する目的で、近年、小物品を収容可能なポケットが備えられたテーブルクロスや、ベッド柵に装着される物入れが開発されており、それに関して既にいくつかの発明や考案が開示されている。
【０００３】
特許文献１には「敷装クロス」という名称で、テーブル上に置かれた種々の物品を収納可能な敷装クロスに関する考案が開示されている。
以下、特許文献１に開示された考案について説明する。特許文献１に開示された考案は、クロスの表面端に収容嚢を添装することによって、種々の物品を収納し、かつ、クロスの裏面において、収容嚢と反対側端部に粘着剤を設け、クロスを台卓上面に接着させるようにしたことを特徴とする。
このような特徴を備えた敷装クロスにおいては、粘着剤を台卓上面に向けて載せて上からクロスを押圧するとともに、クロスの表面端を折り曲げ収容嚢を台卓の側面に垂らすと、クロスが移動することなく収容嚢に物品が収容され、また収用された物品が必要に応じて取り出されるという作用を有する。したがって、この敷装クロスによれば、種々の物品を置き忘れたり探したりする必要がなく便利である。さらに、収容嚢を台卓の側面に垂下させたため、物品保持のための場所を取らない。
【０００４】
次に、特許文献２には「簡易テーブルの保護カバー」という名称で、ベッドの横等に設置された簡易テーブルを覆う保護カバーに関する発明が開示されている。
特許文献２に開示された発明は、上面が略平らな板状に形成された天板からなる本体と、天板の下面にテーブルの天板と係合可能となる係合部と、テーブルの天板又はテーブルの支柱に本体を係止する係止部と、を備え、保護カバーの下面に収容部を形成することを特徴とする。
このような特徴を有する簡易テーブルの保護カバーにおいては、簡易テーブルの天板から下方へ垂下する支柱に係止部を係止することで、保護カバーを簡易テーブルへ固定する。したがって、風等で保護カバーが舞い上がる不具合や患者がカバーの端部を掴んでカバーが滑り落ちる不具合を解消することができる。さらに、保護カバーを容易に着脱可能であるため、簡易テーブルの表面を常にきれいな状態に維持でき、非常に衛生的である。
加えて、物品を簡易テーブルの天板の上面に置かずに収容部内に収容できるので、上面は、常時片付いた状態となる。
【０００５】
さらに、特許文献３には「ベッド周りの収納袋」という名称で、ベッドのサイドレールに取り付けられる収納袋に関する発明が開示されている。
特許文献３に開示された発明は、ベッドのサイドレールとしての側柵を構成する複数本の横バー及び縦バーのうち選択されたバーを利用して変形可能な布状素材からなる袋体を取り付けたベッド周りの収納袋において、袋体は、前面から後方に奥行きを有するように形成されたポケットを有し、ポケットを、側柵のベッド内側から少なくとも２本の縦バーの相互間に挿入して側柵の後方に突出させ、袋体のポケットから側方、上方等に延びる係止部を選択されたバーに絡ませて係止部の他の部分に固定することにより、袋体をバーに取り付けたことを特徴とする。
このような特徴を有するベッド周りの収納袋においては、袋体は、前面から後方に奥行きを有するように形成されたポケットを有するため、ポケット開口部に対する小物の出し入れが側柵の前面から可能であり、上半身を側柵から乗り出して小物を出し入れする必要がない。また、袋体のポケットは側柵の後方に突出しているので、背ボトムを上昇又は下降させるときに、収納袋が背ボトムの移動を邪魔しない。したがって、本収納袋は、使い勝手が良好である。
【先行技術文献】
【特許文献】
【０００６】
【特許文献１】実公昭４９−５７６９号公報
【特許文献２】特開２００２−５８５４１号公報
【特許文献３】特開２００９−２４０４４５号公報
【発明の概要】
【発明が解決しようとする課題】
【０００７】
しかしながら、特許文献１に開示された考案においては、収容嚢に収容される物品の荷重が、粘着剤の摩擦力よりも大きい場合に、収容嚢が下方へずれたり、敷装クロス自体が台卓から外れたりする可能性があり、安定的な物品の垂下が困難な場合も考えられる。
また、敷装クロスを継続して使用していると、台卓の上面に広げられたクロスの表面は汚れが目立つものの、台卓の側面に垂下されている収容嚢の汚れはそれ程目立たないといった状態になり易いものと考えられる。しかし、この場合であっても、クロスと収容嚢は分離不能であることから、物品を一旦収容嚢から取り出して敷装クロス全体を洗浄しなければならず、非効率である。しかも、洗浄・乾燥している間、物品の管理を怠ると、物品が散逸してしまうおそれがある。
【０００８】
次に、特許文献２に開示された発明においては、保護カバーの下面に収容部を形成するため、収容部と患者の間隔が狭まり、保護カバーの位置によっては患者の膝や足先が収容部に衝突するおそれがある。また、複数の収容部に物品全体がそれぞれ収容されるため、目的の物品を素早く取り出し難い可能性がある。さらに、退院時においても、種々の物品を一度に取り出して持ち運ぶことができないため、退院準備に手間取ってしまうことが考えられる。
【０００９】
さらに、特許文献３に開示された発明においては、収納袋はベッドのサイドレールに取り付けられる。ところで、サイドレール及びその付近は、例えば病院の場合、導尿バッグや点滴容器を吊り下げる点滴スタンドが設置されることが多い。このような場合、スペースが不足して収納袋をサイドレールに取り付けることができないおそれがある。すなわち、サイドレール以外のベッド周りにも収納袋を容易に取り付け可能である構成が望ましいが、特許文献３に開示された発明では、そのような構成は備えられていない。
【００１０】
本発明は、このような従来の事情に対処してなされたものであり、ベッドサイドに設置されるベッドテーブル及びベッド柵のいずれにも安定的に吊り下げることが可能であり、かつ洗濯や持ち運び等の取り扱いが容易なベッドサイド用収容具を提供することを目的とする。
【課題を解決するための手段】
【００１１】
上記目的を達成するため、第１の発明は、ベッドサイドに設置されるベッド用備品から吊り下げられるポケット部と、このポケット部をベッド用備品へ取り付けるための第１の取付部材及び第２の取付部材を備え、ポケット部は、基体と、この基体に形成され、物品を収容する収容部とからなり、基体は、第１の取付部材及び第２の取付部材の少なくともいずれか一方を介してベッド用備品へ取り付けられ、ベッド用備品は、天板部を備えるベッドテーブル及びベッド柵であり、第１の取付部材は、ベッドテーブルへ取り付けられ、第２の取付部材は、第１の取付部材に接続可能又はベッド柵に取り付け可能であることを特徴とする。
【００１２】
このような構成の発明において、第１の取付部材としては、例えばベッドテーブルに固定される布材や合成樹脂材のほか、ゴム製ベルトやクランプ等が考えられる。
さらに、第２の取付部材としては、例えば点ファスナを介し、第１の取付部材に接続され、又はループ状に変形されてベッド柵に取り付けられるベルトが考えられる。なお、第１の取付部材と第２の取付部材は、互いに分離可能、分離不能のいずれでも良い。
また、ポケット部は、例えば布材や合成樹脂材等の柔軟性部材から構成される。また、収容部は、物品を出し入れする出し入れ口が備えられた袋体であり、その個数、サイズ及び基体におけるレイアウトは、特に限定されない。
【００１３】
この他、ベッドテーブルとは、ベッドの周辺に配置される小机であって、例えば、引き出し可能なスライドテーブルを備える床頭台や、支柱がベッドのサイドフレーム近傍に配置され、天板部がベッドのマットレス表面の高さ位置から一定の間隔を空けて配置される移動式の机等をいう。なお、支柱は、天板部の縁部近傍の一か所を支持するように１本設けられるほか、縁部近傍の二か所を支持するように互いに間隔を空けて２本設けられるものであっても良い。
【００１４】
上記構成の発明において、「基体は、第１の取付部材及び第２の取付部材の少なくともいずれか一方を介してベッド用備品へ取り付けられること」と、「第１の取付部材は、ベッドテーブルへ取り付けられ、第２の取付部材は、第１の取付部材に接続可能又はベッド柵に取り付け可能であること」により、以下の（１）乃至（３）の方法で基体がベッド備品に取り付けられる。
（１）基体は、ベッドテーブルに直接取り付けられる第１の取付部材のみを介し、ベッドテーブルに取り付けられる。なお、第２の取付部材は、第１の取付部材と接続できない。すなわち、第２の取付部材は、ベッドテーブルへの基体の取り付けには寄与しない。
（２）基体は、ベッドテーブルに直接取り付けられる第１の取付部材と、この第１の取付部材に接続される第２の取付部材を介し、ベッドテーブルに取り付けられる。第２の取付部材は、第１の取付部材と接続でき、かつ第１の取付部材から分離できる。
（３）基体は、ベッド柵に直接取り付けられる第２の取付部材のみを介し、ベッド柵に取り付けられる。すなわち、第１の取付部材は、ベッド柵への基体の取り付けには寄与しない。
（１）及び（２）の方法によれば、ポケット部に収容された物品は、ベッドテーブルの側面に沿って保持される。また、（３）の方法によれば、ポケット部に収容された物品は、ベッド柵の側面に沿って保持される。
【００１５】
一方、上記（１）の方法で基体をベッドテーブルに取り付けた場合では、第１の取付部材とベッドテーブルを分離した後、基体を第２の取付部材のみを介してベッド柵に取り付けた状態にすることができる。すなわち（１）の方法から（３）の方法へ移行させることができる。また、この逆の移行も可能である。
さらに、上記（２）の方法で基体をベッドテーブルに取り付けた場合では、第１の取付部材と第２の取付部材を分離した後、基体を第２の取付部材のみを介してベッド柵に取り付けた状態にすることができる。すなわち（２）の方法から（３）の方法へ移行させることができる。また、この逆の移行も可能である。
【００１６】
次に、第２の発明は、第１の発明において、第１の取付部材は、天板部を被覆するクロスであり、このクロスは、天板部に固定される固定部と、この固定部と異なる位置に設けられる接続部とを備え、第２の取付部材は、一面及び他面を有する平面状をなし、第２の取付部材の一端は一面に設けられる第１の係着手段を介して接続部に係着されるとともに他面に第２の係着手段が設けられ、第２の取付部材の他端は第２の係着手段へ分離可能に係着される第３の係着手段が設けられることを特徴とする。
【００１７】
このような構成の発明において、第１乃至第３の係着手段のうち、第１の係着手段はクロスと第２の取付部材を接続するための部材である。第２及び第３の係着手段は、ポケット部をクロスから分離している際に、後述する方法でポケット部をベッド柵から吊り下げるための部材である。なお、第２の取付部材の他端とポケット部の基体は、互いに分離可能又は分離不可能のいずれでも良い。
そして、固定部は、例えば天板部の端面に掛止される湾曲部や、天板部が四角形状である場合に隣り合う一対の角部に掛止可能な袋状部等が考えられる。
上記構成の発明においては、第１の発明の作用に加え、第２の取付部材の他端とポケット部の基体が接続されている場合に、クロスを天板部に固定し、第２の取付部材の一端を第１の係着手段を介してクロスの接続部に係着することで、ポケット部が天板部に取り付けられる。すなわち、この取付方法は、前述した方法（２）の場合に対応する。
また、固定部を天板部から取り外し、第１の係着手段の接続部に対する係着を解除すると、クロス及びポケット部が、それぞれ天板部及びクロスから取り外される。そして、取り外されたクロスとポケット部のうち、ポケット部については、ベッド柵を構成する横フレーム等を周回するように第２の取付部材をループ状に変形し、かつ第２の係着手段と第３の係着手段同士を係着することで、ポケット部がベッド柵に取り付けられる。この取付方法は、前述した方法（３）の場合に対応する。
【００１８】
さらに、第３の発明は、第２の発明において、天板部は、これを平面視した場合に、四角形状の側縁の端面をなす第１乃至第４の端面からなり、第１の端面と第２の端面は互いに平行であるとともに、第３の端面と第４の端面は互いに平行であり、固定部は、第１の端面に掛止される湾曲部であり、接続部は、第２の端面に沿って配置されることを特徴とする。
このような構成の発明においては、第２の発明の作用に加え、クロスが第１の端面から第２の端面に亘って敷設される。この場合、クロスは湾曲部を介して第１の端面に掛止されるため、クロスが天板部を被覆した状態が保持される。このとき、ポケット部が第２の取付部材を介してクロスに接続されているから、ポケット部に物品が収容されると、その荷重によってクロスが天板部により密着してこれを被覆することになる。なお、「四角形状」とは、例えばそれぞれの角部に面取りが施された略四角形状も含む概念であり、長方形の他、正方形であっても良い。
【００１９】
加えて、第４の発明は、第３の発明において、クロスは、天板部を被覆する被覆部と、第３及び第４の端面にそれぞれ直交する方向へ延設されることで、天板部の下面において互いに連結可能な一対の連結片が形成され、固定部は、湾曲部の代わりに、一対の連結片にそれぞれ設けられ、かつ互いに係合可能な係合部であることを特徴とする。
このような構成の発明において、クロスは、天板部の上面を被覆する部分と、一対の連結片から形成される。また、係合部としては、例えば点ファスナや面ファスナのほか、紐状体やワンタッチで係合可能なバックルが考えられる。
上記構成の発明においては、第３の発明の作用に加え、クロスは、一対の連結片が第３及び第４の端面にそれぞれ直交する方向に沿って天板部を周回し、かつ係合部同士が係合することで、天板部に固定される。
【００２０】
続いて、第５の発明は、第２の発明において、ベッドテーブルが、天板部の縁部近傍の一箇所を支持する１本の支柱を備える場合に、クロスは、支柱の周囲を締め付け可能な伸縮性の開口部を備える袋状に形成されることで、その内部へ開口部を介して天板部を収容可能であり、固定部は、開口部の周辺に設けられ、支柱を挟持する挟持部材であることを特徴とする。
このような構成の発明において、クロスは袋状に形成されるため、開口部以外の部分は、閉鎖されている。また、開口部は、クロスの内部へ天板部を収容可能な大きさに構成される。そして、挟持部材としては、例えば、開口部を拡張及び縮小可能に、この開口部に沿って取り付けられたゴム製ベルトや布製の紐状体が考えられる。
上記構成の発明においては、第２の発明の作用に加え、挟持部材を緩め開口部を拡張させた場合に、クロスが天板部を収容可能、又はクロスを天板部から取り外し可能である。また、クロスの内部へ天板部を収容した場合では、挟持部材を締め付けて開口部を縮小させ、かつ支柱を挟持することで、クロスが天板部に固定される。
【００２１】
そして、第６の発明には、第１の発明において、第１の取付部材は、基体を天板部に固定する紐状体であることを特徴とする。
このような構成の発明においては、第１の発明の作用に加え、第１の取付部材を介して、基体が天板部へ取り付け又は取り外される。この取付方法は、前述した方法（１）の場合に対応する。具体的には、第１の取付部材としては、例えばゴム製や布製のベルトが考えられる。
【発明の効果】
【００２２】
第１の発明によれば、（１）乃至（３）の方法で述べたように、基体をベッドテーブル又はベッド柵のいずれにも、取り付けることができる。しかも、（１）と（３）の方法は互いに移行可能であり、（２）と（３）の方法も同様に互いに移行可能である。したがって、ポケット部をその時最も設置したい場所に自在に移動できるので、使い勝手が良好である。
また、（１）乃至（３）の方法のいずれであっても、物品が収容部に収容された場合、その出し入れ口を介して物品を直接視認可能であるから、目的の物品を瞬時に取り出すことができる。
【００２３】
第２の発明によれば、第１の発明の効果に加えて、これと同時に、クロスが、天板部の上面を被覆するため、天板部の上面から物品が滑って落下することや、この上面に物品を置く際に不快な音が発生することを防止可能である。
また、ポケット部は、天板部の側面の他、ベッド柵にも吊り下げ可能であるため、例えば、ポケット部に収容された物品を使用可能としつつ、汚れたクロスを洗濯したい場合に、容易にポケット部のみをクロスから分離してベッド柵へ移動させることができる。したがって、特許文献１に係る発明のように、クロスと収容嚢が分離不能である場合と比較して、物品をポケット部から出し入れする必要がないので、効率的にクロスを清潔な状態に維持することができる。
さらに、ベッド柵から吊り下げられていたポケット部を、直ちに取り外す必要が生じた場合においても、ポケット部をクロスと接続し、天板部の側面へと容易に移動させることができることから、特許文献１に係る発明と比較して、使い勝手が良好である。
【００２４】
また、ポケット部を天板部の側面とベッド柵の間で移動させるためには、固定部と第１乃至第３の係着手段について、簡単な操作を行うことで足りることから、患者や高齢者であっても容易にポケット部を移動させることができる。加えて、接続部材が柔軟性部材から構成されてループ状に変形可能であるため、ポケット部をベッド柵へ取り付けることも容易である。
さらに、ベッドサイド用収容具は、クロス、接続部材及びポケット部材から構成され、部品点数が少ないことから、極めて容易かつ安価に製造することができる。さらに、ベッドサイド用収容具は、物品を収容した状態で所望の形状に折り畳み可能であるので、病院等で、別のベッドへ移動したり、退院したりする際に、散乱しがちな物品をまとめて一度に持ち運ぶことができる。
【００２５】
第３の発明によれば、第２の発明の効果に加えて、クロスは湾曲部を介して天板部の第１の端面に掛止されるので、クロスの着脱が容易であるとともに、ポケット部に収容された物品が第２の端面の下方へずれ下がることを防止できる。また、逆に、ポケット部に物品が収容されることで、クロスがより安定的に天板部を被覆するため、湾曲部とポケット部が互いに相乗効果を発揮し、ベッドサイド用収容具全体のずれを確実に防止することができる。
さらに、接続部が第２の端面に沿って配置されるため、ポケット部が、クロスの固定部等を介して天板部の側面から吊り下げられる。したがって、ベッド上の患者の膝等がポケット部に衝突することがない。そのため、ベッドサイド用収容具をストレスなく使用することができる。
【００２６】
第４の発明によれば、第３の発明の効果に加えて、クロスは、第３及び第４の端面と直交する方向に沿って天板部を周回することで、この天板部へ固定されるので、ベッドサイド用収容具全体のずれを、第２の発明よりも一層確実に防止することができる。
【００２７】
第５の発明によれば、第２の発明の効果に加えて、開口部を拡張したクロスの内部へ天板部を収容後に、この開口部を縮小するという簡単な手順により、クロスを手早く天板部に固定することができる。このとき、挟持部材が支柱を挟持するので、クロスがずれ動いてポケット部が下降したり、傾斜したりすることを防止できる。
【００２８】
第６の発明によれば、第１の発明の効果に加えて、第１の取付部材を介して基体が天板部へ取り付け等されるため、取り扱いが容易である。また、第１の取付部材がゴム製ベルトである場合、このベルトを安価かつ容易に入手可能である。
【図面の簡単な説明】
【００２９】
【図１】（ａ）及び（ｂ）は、それぞれ実施例１に係るベッドサイド用収容具の表面を示す平面図及び側面図である。
【図２】（ａ）乃至（ｃ）は、それぞれ実施例１に係るベッドサイド用収容具を構成する接続部材の側面図、（ａ）におけるＡ方向矢視図及び（ａ）におけるＢ方向矢視図である。
【図３】実施例１に係るベッドサイド用収容具の第１の使用状態を示す斜視図である。
【図４】（ａ）は実施例１に係るベッドサイド用収容具を構成する第２の取付部材の側面図であり、（ｂ）は実施例１に係るベッドサイド用収容具の第２の使用状態を示す斜視図である。
【図５】（ａ）及び（ｂ）は、それぞれ実施例１の第１の変形例に係るベッドサイド用収容具を構成する第２の取付部材の側面図及びその使用状態を示す側面図である。
【図６】（ａ）は実施例１の第２の変形例に係るベッドサイド用収容具を構成する第２の取付部材の側面図であり、（ｂ）は第３の変形例に係るベッドサイド用収容具を構成する第２の取付部材の側面図である。
【図７】（ａ）及び（ｂ）は、それぞれ実施例２に係るベッドサイド用収容具の平面図及びその変形例の平面図である。
【図８】（ａ）及び（ｂ）は、それぞれ実施例３に係るベッドサイド用収容具を構成するクロスの斜視図及び（ａ）におけるＣ方向矢視図である。
【図９】（ａ）及び（ｂ）は、それぞれ実施例４に係るベッドサイド用収容具の斜視図及びその使用状態を示す斜視図である。
【図１０】（ａ）及び（ｂ）は、それぞれ従来技術に係るベッドテーブル及び床頭台の構成を説明するための斜視図である。
【発明を実施するための形態】
【実施例１】
【００３０】
最初に、ベッドサイド用収容具の取付対象であるベッドテーブル及び床頭台の構成について、図１０を参照しながら説明する。その後、本発明の実施の形態に係る実施例１のベッドサイド用収容具について、図１乃至図６を参照しながら説明する。
図１０（ａ）及び図１０（ｂ）は、それぞれ従来技術に係るベッドテーブル及び床頭台の構成を説明するための斜視図である。
図１０（ａ）に示すように、従来技術に係るベッドテーブル５０は、天板部５１と、この天板部５１を支持する２本の支柱５２，５２と、この支柱５２，５２がそれぞれ立設される脚部５３，５３を備えてベッド１００（図４（ｂ）参照）の周辺に配置される。
このうち、天板部５１は、これを平面視した場合に、四角形状の側縁の端面をなす第１の端面５１ａ、第２の端面５１ｂ、第３の端面５１ｃ及び第４の端面５１ｄとからなり、第１の端面５１ａと第２の端面５１ｂは互いに平行であるとともに、第３の端面５１ｃと第４の端面５１ｄは互いに平行である。さらに天板部５１は、滑らかな上面５１ｅと、下面５１ｆを備える。
【００３１】
支柱５２，５２は、天板部５１の縁部（この場合、第１の端面５１ａ及び第２の端面５１ｂを意味する。）近傍を互いに間隔を空けて支持する。そして、脚部５３，５３は、いずれも長尺体であり、その両端部にそれぞれ設けられるキャスター５３ａによって、ベッドテーブル５０を移動可能とする。
ベッドテーブル５０を使用する際には、例えば、後段に示す図４（ｂ）のベッド１００の両側のサイドフレーム１００ａ，１００ａに支柱５２，５２をそれぞれ接近させ、天板部５１をマットレス１００ｂから上方へ一定間隔を空けて配置する。ベッドテーブル５０の長手方向の配置位置は、ベッド１００のヘッドボード１００ｃからフットボード１００ｄの間であれば、特に限定されない。
【００３２】
図１０（ｂ）に示すように、従来技術に係る床頭台５４は、テレビ (図示せず)等が載置される天板部５５と、この天板部５５の下方に引き出し自在に収容されるスライドテーブル５６と、このスライドテーブル５６の下方に配置される開閉可能な扉５７を備えた箱状の収容棚であって、キャスター５３ａによって移動可能である。この床頭台５４は、専らヘッドボード１００ｃ側（後段に示す図４（ｂ）を参照）に配置される。
【００３３】
次に、実施例１に係るベッドサイド用収容具について、図１を参照しながら説明する。図１（ａ）及び図１（ｂ）は、それぞれ実施例１に係るベッドサイド用収容具の表面を示す平面図及び側面図である。なお、図１０で説明した構成要素と同一の構成要素は、図１においても同一の符号を付してその説明を省略する。
図１（ａ）及び図１（ｂ）に示すように、本実施例に係るベッドサイド用収容具１は、ベッドサイドに設置されるベッド用備品から吊り下げられるポケット部２と、このポケット部２をベッド用備品へ取り付けるための第１の取付部材３及び第２の取付部材４を備える。これらポケット部２、第１の取付部材３及び第２の取付部材４は、いずれも天然繊維や化学繊維といった柔軟性を有する布材から構成される。また、ベッド用備品は、ベッドテーブル５０(図３，９参照)及びベッド１００のベッド柵１０１(図４（ｂ）参照)である。
【００３４】
ポケット部２は、基体５と、この基体５に形成され、物品（図示せず）を出し入れ口６ａ´〜６ｅ´を介して収容する収容部６ａ〜６ｅとからなる。この収容部６ａ〜６ｅは、例えば、それぞれペットボトル、ペン、眼鏡、飲み薬及びティッシュボックス（いずれも図示せず）が収容されるような形状及びレイアウトに構成されている。このうち、収容部６ａ〜６ｄは底部を有する袋状に形成される。しかし、収容部６ｅは平坦状に形成され、その表面に１対のゴム製ベルト６ｆ，６ｆが横方向に間隔を空けて設けられる。この１対のゴム製ベルト６ｆ，６ｆは、それぞれの両端部が収容部６ｅの表面に縫着されており、ゴム製ベルト６ｆ，６ｆと収容部６ｅの表面との間に生じる空間にティッシュボックスを入れ込んで、これを収容部６ｅの表面に押し付けて保持するものである。
そして、基体５は、第１の取付部材３及び第２の取付部材４の少なくともいずれか一方を介してベッドテーブル５０(図１０（ａ）参照)及びベッド柵１０１(図４（ｂ）参照)へ取り付けられる。
【００３５】
より詳細には、基体５は、第１の取付部材３及び第２の取付部材４を介してベッドテーブル５０へ取り付けられる場合（前述した(２)の方法に相当する。）と、第２の取付部材４のみを介してベッド柵１０１へ取り付けられる場合（前述した(３)の方法に相当する。）がある。
これは、第１の取付部材３は、ベッドテーブル５０の天板部５１へ取り付けられ、第２の取付部材４は、第１の取付部材３に接続可能又はベッド柵１０１に取り付け可能であることによる。
具体的には、第１の取付部材３は、ベッドテーブル５０の天板部５１を被覆するクロス７である。このクロス７は、天板部５１に固定される固定部８と、この固定部８と異なる位置に設けられる接続部９とを備える。接続部９は、クロス７の表面７ａ側に設けられる。
【００３６】
次に、第２の取付部材４について、図２を参照しながら、説明する。図２（ａ）乃至図２（ｃ）は、それぞれ実施例１に係るベッドサイド用収容具を構成する接続部材の側面図、図２（ａ）におけるＡ方向矢視図及び図２（ａ）におけるＢ方向矢視図である。なお、図１及び図１０で説明した構成要素と同一の構成要素は、図２においても同一の符号を付してその説明を省略する。
図２（ａ）乃至図２（ｃ）に示すように、第２の取付部材４は、一面４ａ及び他面４ｂを有する平面状をなし、第２の取付部材４の一端４ｃは一面４ａに設けられる第１の係着手段１０を介して接続部９に係着される。同時に一端４ｃの他面４ｂに第２の係着手段１１が設けられる。さらに、第２の取付部材４の他端４ｄは、第２の係着手段１１へ分離可能に係着される第３の係着手段１２が一面４ａに設けられる。
なお、接続部９と、第１乃至第３の係着手段１０〜１２は、いずれも点ファスナである。そして、第２の取付部材４の他端４ｄは、基体５上縁の縫着部５ａにおいて、基体５と分離不能に縫着される。
【００３７】
続いて、実施例１に係るベッドサイド用収容具の第１の使用状態について、図３を参照しながら説明する。図３は、実施例１に係るベッドサイド用収容具の第１の使用状態を示す斜視図である。なお、図１、図２及び図１０で説明した構成要素と同一の構成要素は、図３においても同一の符号を付してその説明を省略する。
図３に示すように、天板部５１が、これを平面視した場合に、四角形状の側縁の端面をなす第１の端面５１ａ、第２の端面５１ｂ、第３の端面５１ｃ及び第４の端面５１ｄとからなり、第１の端面５１ａと第２の端面５１ｂは互いに平行であるとともに、第３の端面５１ｃと第４の端面５１ｄは互いに平行である場合に、固定部８は、第１の端面５１ａに掛止される湾曲部Ｗである。この湾曲部Ｗは、第１の端面５１ａを挿入可能な袋状に形成されたものである。このとき、接続部９は、第２の端面５１ｂに沿って配置される。
したがって、固定部８が第１の端面５１ａに掛止されるとともに、接続部９に第２の取付部材４が接続されることによって、クロス７が天板部５１を被覆すると同時に、ポケット部２が第２の端面５１ｂから吊り下げられる。
【００３８】
さらに、実施例１に係るベッドサイド用収容具の第２の使用状態について、図４を参照しながら説明する。図４（ａ）は実施例１に係るベッドサイド用収容具を構成する第２の取付部材の側面図であり、図４（ｂ）は実施例１に係るベッドサイド用収容具の第２の使用状態を示す斜視図である。なお、図１乃至図３、及び図１０で説明した構成要素と同一の構成要素は、図４においても同一の符号を付してその説明を省略する。
図４（ａ）及び図４（ｂ）に示すように、第２の取付部材４の第１の係着手段１０が接続部９(図３参照)と分離される場合に、マットレス１００ｂを備えるベッド１００のサイドフレーム１００ａによって支持されるベッド柵１０１の横フレーム１０１ａに、第２の係着手段１１を内側に、かつ第３の係着手段１２を外側にした状態で、第２の取付部材４を巻回することができる。このとき、第２の係着手段１１と第３の係着手段１２が係着し合うことで、ポケット部２のみが横フレーム１０１ａから吊り下げられる。なお、板状のヘッドボード１００ｃ及びフットボード１００ｄが、それぞれベッド柵１０１と同様に柵状であった場合には、ポケット部２をこれらから吊り下げることもできる。
【００３９】
実施例１に係るベッドサイド用収容具１においては、図３に示すように、クロス７が固定部８によって第１の端面５１ａに掛止される場合、第２の取付部材４を介し、ポケット部２が天板部５１を支持体としてベッドテーブル５０の側面に沿って吊り下げられる。したがって、収容部６ａ〜６ｅに収容された物品はベッドテーブル５０の側面に沿って保持される。
また、図４に示すように、ポケット部２が第２の取付部材４のみによってベッド柵１０１から吊り下げられるとき、収容部６ａ〜６ｅに収容された物品は、ベッド柵１０１の側面に沿って保持される。
このとき、クロス７は、天板部５１を被覆したままでも良いし、また天板部５１から取り外されても良い。
【００４０】
以上説明したように、本実施例に係るベッドサイド用収容具１によれば、ポケット部２をベッドテーブル５０又はベッド柵１０１のいずれにも、取り付けることができる。しかも、ベッドテーブル５０又はベッド柵１０１間の移動は、第１乃至第３の係着手段１０〜１２の係着を解除したり、係着させる相手を変更して再度係着させるという簡易な操作によって可能になることから、使い勝手が極めて良好である。
また、クロス７は、ポケット部２と同時の他、単独で取り扱うことができるので、例えば、クロス７のみを洗濯したい場合に、収容部６ａ〜６ｅに収容された物品を取り出す必要がないので、常にクロス７の清潔さを維持することができる。
さらに、ポケット部２をベッドテーブル５０又はベッド柵１０１のいずれに取り付けた場合であっても、収容部６ａ〜６ｅの出し入れ口６ａ´〜６ｅ´を介して物品を直接視認可能であるから、目的の物品を瞬時に取り出すことができる。
【００４１】
また、クロス７は、湾曲部Ｗによって天板部５１の第１の端面５１ａに掛止されることから、クロス７の着脱が容易であるとともに、収容部６ａ〜６ｅに収容された物品が第２の端面５１ｂの下方へずり下がることを防止できる。すなわち、湾曲部Ｗとポケット部２が互いに相乗効果を発揮し、ベッドサイド用収容具１全体のずれを確実に防止することができる。
さらに、ベッドサイド用収容具１によれば、ポケット部２が天板部５１の側面から吊り下げられることから、マットレス１００ｂ上の患者の膝等がポケット部２に衝突することがない。そのため、ストレスなくベッドサイド用収容具１を使用することができる。
このように、ベッドサイド用収容具１は、ベッド上における負担を軽減し、利便性を向上することができるので、病院の入院患者や介護施設の入居者が利用するのに最適である。また、今後、高齢化社会に伴い入院患者等が一層増加することから、多くのベッドサイド用収容具１の導入を期待できる。
【００４２】
続いて、実施例１に係る第１及び第２の変形例について、図５を参照しながら詳細に説明する。図５（ａ）及び図５（ｂ）は、それぞれ実施例１の第１の変形例に係るベッドサイド用収容具を構成する第２の取付部材の側面図及びその使用状態を示す側面図である。なお、図１乃至図４、及び図１０で説明した構成要素と同一の構成要素は、図５においても同一の符号を付してその説明を省略する。
図５（ａ）に示すように、実施例１の第１の変形例に係るベッドサイド用収容具１ａにおいては、第２の取付部材４の他端４ｄに設けられる第３の係着手段１２が、一面４ａではなく他面４ｂに設けられる。ベッドサイド用収容具１ａにおけるこの他の構成は、実施例に係るベッドサイド用収容具１と同様である。
したがって、図５（ｂ）に示すように、ベッド柵１０１の横フレーム１０１ａに、第２の係着手段１１と第３の係着手段１２を対向させた状態で、第２の取付部材４を巻回することができる。このとき、第２の係着手段１１と第３の係着手段１２が係着し合うことで、ポケット部２のみが横フレーム１０１ａから吊り下げられる。
【００４３】
そして、実施例１に係る第３の変形例について、図６を参照しながら詳細に説明する。図６（ａ）は実施例１の第２の変形例に係るベッドサイド用収容具を構成する第２の取付部材の側面図であり、図６（ｂ）は第３の変形例に係るベッドサイド用収容具を構成する第２の取付部材の側面図である。なお、図１乃至図５、及び図１０で説明した構成要素と同一の構成要素は、図６においても同一の符号を付してその説明を省略する。
図６（ａ）に示すように、実施例１の第２の変形例に係るベッドサイド用収容具１ｂにおいては、接続部１３が、クロス７の裏面７ｂ側に設けられる。また、図２に示したのと同様に、第２の取付部材４の一端４ｃには、第１の係着手段１４が一面４ａに設けられるとともに、第２の係着手段１５が他面４ｂに設けられる。
さらに、他端４ｄには、第３の係着手段１６が一面４ａに設けられるとともに、第４の係着手段１７が他面４ｂに設けられる。この第４の係着手段１７は、基体５の上縁に設けられる第５の係着手段１８に分離可能に係着される。なお、接続部１３と、第１乃至第５の係着手段１４〜１８は、いずれも面ファスナである。
【００４４】
したがって、接続部１３と第１の係着手段１４の係着を解除後に、ベッド柵１０１の横フレーム１０１ａに、第２の係着手段１５を内側に、かつ第３の係着手段１６を外側にした状態で、第２の取付部材４を巻回し、第２の係着手段１５と第３の係着手段１６が係着し合うことで、図４（ａ）に示したのと同様に、ポケット部２のみが横フレーム１０１ａから吊り下げられる。
ベッドサイド用収容具１ｂにおけるこの他の構成及び作用は、実施例１に係るベッドサイド用収容具１と同様である。
【００４５】
図６（ｂ）に示すように、実施例１の第３の変形例に係るベッドサイド用収容具１ｃにおいては、第３の係着手段１６は、第２の取付部材４の他面４ｂに設けられる。ベッドサイド用収容具１ｃにおけるこの他の構成は、実施例１の第２の変形例に係るベッドサイド用収容具１ｂと同様である。
したがって、接続部１３と第１の係着手段１４の係着を解除後に、横フレーム１０１ａに、第２の係着手段１５と第３の係着手段１６を対向させた状態で、第２の取付部材４を巻回することができる。
ベッドサイド用収容具１ｃにおけるこの他の作用は、実施例１の第２の変形例に係るベッドサイド用収容具１ｂと同様である。
【００４６】
以上述べたように、実施例１の第１乃至第３の変形例に係るベッドサイド用収容具１ａ〜１ｃによれば、第１乃至第３の係着手段１４〜１６等の種類や配置を変化させた場合であっても、クロス７又はベッド柵１０１のいずれに対してもポケット部２を取り付けることができる。特に、第２及び第３の変形例に係るベッドサイド用収容具１ｂ，１ｃによれば、接続部１３と、第１乃至第３の係着手段１４〜１６等が面ファスナであるため、より手軽にポケット部２をクロス７又は第２の取付部材４へ取り付け又は取り外し可能である。
ベッドサイド用収容具１ａ〜１ｃにおけるこの他の効果は、実施例１に係るベッドサイド用収容具１と同様である。
【実施例２】
【００４７】
本発明の実施の形態に係る実施例２のベッドサイド用収容具について、図７（ａ）及び図７（ｂ）を参照しながら説明する。図７（ａ）及び図７（ｂ）は、それぞれ実施例２に係るベッドサイド用収容具の平面図及びその変形例の平面図である。なお、図１乃至図６、及び図１０で説明した構成要素と同一の構成要素は、図７（ａ）及び図７（ｂ）においても同一の符号を付してその説明を省略する。
図７（ａ）に示すように、実施例２に係るベッドサイド用収容具１９においては、クロス２０は、天板部５１の上面を被覆する被覆部２０ｂと、天板部５１の第３の端面５１ｃと第４の端面５１ｄ(図１０（ａ)参照）にそれぞれ直交する方向Ｘ(すなわち、クロス２０の短手方向に相当する。)へ延設されることで、天板部５１の下面において互いに連結可能な一対の連結片２０ａ，２０ａが形成される。この一対の連結片２０ａ，２０ａは、被覆部２０ｂが天板部５１を被覆する際に、天板部５１の第２の端面５１ｂ寄りとなるよう、クロス２０の長手方向Ｙの中央部から離れた位置に形成される。
また、固定部２１は、湾曲部Ｗの代わりに、一対の連結片２０ａ，２０ａにそれぞれ設けられ、かつ互いに係合可能な係合部Ｋ，Ｋである。なお、係合部Ｋ，Ｋは、それぞれ面ファスナである。
【００４８】
したがって、クロス２０は、一対の連結片２０ａ，２０ａがＸ方向に沿って天板部５１を周回し、かつ係合部Ｋ，Ｋ同士が係合することで、天板部５１に固定される。ベッドサイド用収容具１９におけるこの他の構成及び作用は、実施例１に係るベッドサイド用収容具１と同様である。
【００４９】
次に、図７（ｂ）に示すように、実施例２の変形例に係るベッドサイド用収容具１９ａにおいては、一対の連結片２０ａ，２０ａは、被覆部２０ｂが天板部５１を被覆する際に、天板部５１の長手方向の中央部に位置するよう、クロス２０の長手方向Ｙの中央部付近に形成される。
さらに、第２の取付部材４は、クロス２０の長手方向Ｙの中央部から離れた被覆部２０ｂの両端面に形成されるので、ポケット部２をこれら両端面の少なくともいずれか一方に接続することができる。ベッドサイド用収容具１９ａにおけるこの他の構成及び作用は、実施例２に係るベッドサイド用収容具１９と同様である。
【００５０】
以上説明したように、実施例２及びその変形例に係るベッドサイド用収容具１９，１９ａによれば、クロス２０は、Ｘ方向に沿って天板部５１を周回し、かつ係合部Ｋ，Ｋ同士が係合することで、天板部５１へ固定されるので、ベッドサイド用収容具１９，１９ａ全体のずれを、実施例１のベッドサイド用収容具１よりも一層確実に防止することができる。また、支柱５２の本数や天板部５１に対する設置位置に対応できるよう、一対の連結片２０ａ，２０ａを被覆部２０ｂに対して変化させたものを製造することで、様々な構成のベッドテーブル５０にベッドサイド用収容具１９，１９ａを取        り付けることができる。
【実施例３】
【００５１】
本発明の実施の形態に係る実施例３のベッドサイド用収容具について、図８（ａ）及び図８（ｂ）を参照しながら説明する。図８（ａ）及び図８（ｂ）は、それぞれ実施例３に係るベッドサイド用収容具を構成するクロスの斜視図及び図８（ａ）におけるＣ方向矢視図である。なお、図１乃至図７、及び図１０で説明した構成要素と同一の構成要素は、図８（ａ）及び図８（ｂ）においても同一の符号を付してその説明を省略する。
図８（ａ）及び図８（ｂ）に示すように、実施例３に係るベッドサイド用収容具２２においては、ベッドテーブル５０が、天板部５１の縁部（例えば、第２の端面５１ｂ）近傍の一箇所を支持する１本の支柱５２を備える場合に、クロス２３は、支柱５２の周囲を締め付け可能な伸縮性の開口部２４を備える袋状に形成されることで、その内部へ開口部２４を介して天板部５１を収容可能である。
また、固定部２５は、開口部２４の周辺に設けられ、支柱５２を挟持する挟持部材である。具体的には、固定部２５は、開口部２４を拡張及び縮小可能に、開口部２４に沿って取り付けられた環状のゴム状体である。
さらに、第２の取付部材４が接続される接続部２６が、開口部２４の周辺に設けられている。
【００５２】
したがって、ベッドサイド用収容具２２においては、固定部２５を伸展させて開口部２４を拡張させた場合に、クロス２３が天板部５１を収容可能、又はクロス２３を天板部５１から取り外し可能である。また、クロス２３の内部へ天板部５１を収容した場合では、固定部２５を収縮させて開口部２４を縮小させ、かつ支柱５２を挟持することで、クロス２３が天板部５１に固定される。そして、接続部２６が、開口部２４の周辺に設けられていることから、第２の取付部材４を介してクロス２３と連結されるポケット部２が、天板部５１を支持体として吊り下げられる。
ベッドサイド用収容具２２におけるこの他の構成及び作用は、実施例１に係るベッドサイド用収容具１と同様である。
【００５３】
以上説明したように、実施例３に係るベッドサイド用収容具２２によれば、固定部２５を伸展又は収縮させて開口部２４を拡張又は縮小させるという簡単な手順により、クロス２３を手早く天板部５１に固定又は取り外しすることができる。前者のとき、固定部２５が支柱５２を挟持するので、クロス２３がずれ動いてポケット部２が下降したり、傾斜したりすることを防止できる。したがって、安定的に収容部６ａ〜６ｅに収容した物品を保持可能である。
ベッドサイド用収容具２２におけるこの他の効果は、実施例１に係るベッドサイド用収容具１と同様である。
【実施例４】
【００５４】
本発明の実施の形態に係る実施例４のベッドサイド用収容具について、図９を参照しながら説明する。図９（ａ）及び図９（ｂ）は、それぞれ実施例４に係るベッドサイド用収容具の斜視図及びその使用状態を示す斜視図である。なお、図１乃至図８、及び図１０で説明した構成要素と同一の構成要素は、図９においても同一の符号を付してその説明を省略する。
図９（ａ）に示すように、実施例４に係るベッドサイド用収容具２７においては、実施例１に係るベッドサイド用収容具１における第１の取付部材３が、第１の取付部材２８へ置換されたものである。この第１の取付部材２８は、基体５を天板部５１に固定するゴム製ベルトであって、その両端が基体５へ縫着されている。
図９（ｂ）に示すように、このような構成のベッドサイド用収容具２７においては、第１の取付部材２８を床頭台５４のスライドテーブル５６に掛止すると、ポケット部２の基体５がスライドテーブル５６から吊り下げられる。また、第１の取付部材２８をスライドテーブル５６から取り外した後、第２の取付部材４をベッド柵１０１に巻回すると、基体５がベッド柵１０１から吊り下げられる。
ベッドサイド用収容具２７におけるこの他の構成及び作用は、実施例１に係るベッドサイド用収容具１と同様である。
【００５５】
以上説明したように、実施例４に係るベッドサイド用収容具２７によれば、第１の取付部材２８をスライドテーブル５６に掛止又は第２の取付部材４をベッド柵１０１に巻回させることにより、ベッドサイド用収容具２７をスライドテーブル５６とベッド柵１０１の間で自在に移動させることができる。また、第１の取付部材２８は、安価かつ容易に入手可能なゴム製ベルトであるため、実施例１に係るベッドサイド用収容具１よりも、製造コストを抑制することができる。
ベッドサイド用収容具２７におけるこの他の効果は、実施例１に係るベッドサイド用収容具１と同様である。
【００５６】
なお、本発明のベッドサイド用収容具１，１ａ〜１ｃは本実施例に示すものに限定されない。例えば、クロス７の代わりに、天板部５１の第２の端面５１ｂを挟持するクランプが使用されても良い。また、第２の取付部材４は、布材以外にも柔軟性を有する合成樹脂材で形成されても良い。さらに、クロス７は、湾曲部Ｗと接続部９が備えられる限り、長方形以外の多角形状や円形状、だ円形状に形成されても良い。そして、収容部６ｅは、側壁にティッシュペーパーを１枚ずつ取り出し可能なスリットが形成された、底部を有する袋状に形成されても良い。
【００５７】
次に、本発明のベッドサイド用収容具１９，１９ａも本実施例に示すものに限定されない。例えば、係合部Ｋ，Ｋは、それぞれ面ファスナ以外に、点ファスナや紐状体、又はワンタッチで係合可能なバックルが使用されても良い。
さらに、本発明のベッドサイド用収容具２２も本実施例に示すものに限定されない。例えば、クロス２３の内側に、シリコンやゴムによるエンボス加工がなされてクロス２３の滑り止め作用が発揮される他、固定部２５は環状のゴム状体である以外に、布製の紐状体や金属製の支柱５２に吸着されるマグネットが使用されても良い。
そして、本発明のベッドサイド用収容具２７も本実施例に示すものに限定されない。例えば、第１の取付部材２８は、弾性を有するゴム製ベルトの代わりに、布製の紐状体や弾性を有しないプラスチック製や金属製のチェーン、又はスライドテーブル５６を挟持するクランプがそれぞれ適切な方法で基体５に対し取り付けられても良い。
【産業上の利用可能性】
【００５８】
本発明は、病院や介護施設において、物品を保持しつつ、ベッドサイドに設置されるベッド用備品から吊り下げられるベッドサイド用収容具として利用可能である。
【符号の説明】
【００５９】
１，１ａ〜１ｃ…ベッドサイド用収容具  ２…ポケット部  ３…第１の取付部材  ４…第２の取付部材  ４ａ…一面  ４ｂ…他面  ４ｃ…一端  ４ｄ…他端  ５…基体  ５ａ…縫着部  ６ａ〜６ｅ…収容部  ６ａ´〜６ｅ´…出し入れ口  ６ｆ…ゴム製ベルト  ７…クロス  ７ａ…表面  ７ｂ…裏面  ８…固定部  Ｗ…湾曲部  Ｋ…係合部  ９…接続部  １０…第１の係着手段  １１…第２の係着手段  １２…第３の係着手段  １３…接続部  １４…第１の係着手段  １５…第２の係着手段  １６…第３の係着手段  １７…第４の係着手段  １８…第５の係着手段  １９，１９ａ…ベッドサイド用収容具  ２０…クロス  ２０ａ…連結片  ２０ｂ…被覆部  ２１…固定部  ２２…ベッドサイド用収容具  ２３…クロス  ２４…開口部  ２５…固定部  ２６…接続部  ２７…ベッドサイド用収容具  ２８…第１の取付部材  ５０…ベッドテーブル  ５１…天板部  ５１ａ…第１の端面  ５１ｂ…第２の端面  ５１ｃ…第３の端面  ５１ｄ…第４の端面  ５１ｅ…上面  ５１ｆ…下面  ５２…支柱  ５３…脚部  ５３ａ…キャスター  ５４…床頭台  ５５…天板部  ５６…スライドテーブル  ５７…扉  １００…ベッド  １００ａ…サイドフレーム  １００ｂ…マットレス  １００ｃ…ヘッドボード  １００ｄ…フットボード  １０１…ベッド柵  １０１ａ…横フレーム
【図１】
2018020028.tif 000003
【図２】
2018020028.tif 000004
【図３】
2018020028.tif 000005
【図４】
2018020028.tif 000006
【図５】
2018020028.tif 000007
【図６】
2018020028.tif 000008
【図７】
2018020028.tif 000009
【図８】
2018020028.tif 000010
【図９】
2018020028.tif 000011
【図１０】
2018020028.tif 000012
【手続補正書】
【提出日】平成29年2月14日(2017.2.14)
【手続補正１】
【補正対象書類名】特許請求の範囲
【補正対象項目名】請求項６
【補正方法】変更
【補正の内容】
【請求項６】
前記第１の取付部材は、前記基体を床頭台のスライドテーブルに固定する紐状体であることを特徴とする請求項１に記載のベッドサイド用収容具。